(57)【要約】  【課題】  非力な高齢者や女性等にあっても、その非力な範囲の腕力によって比較的簡便且つ迅速に脱着でき、作業効率を高めることができるようにするビニルハウス用パッカを提供する。  【解決手段】  円筒体の周壁を、その軸心に沿う方向に所定巾切り落として嵌着口２１としたパッカ本体２の少なくとも一方端２３寄りであって、嵌着口に臨む一側縁２４付近に離脱用操作紐４の基端４１を結着する一方、対峙する他側縁２５付近に、該離脱用操作紐を進退、摺動自在に案内する通孔３１を形成してなるものとしたビニルハウス用パッカ１である。【選択図】    図２
2005143439.tif 000002
【特許請求の範囲】
【請求項１】
鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き、または通孔もしくは切欠き付き通孔を形成してなるものとしたことを特徴とするビニルハウス用パッカ。
【請求項２】
鋼管等からなるハウスフレームの外径に略匹敵する内径とした所定長さの円筒体またはそれに近似する筒体の周壁を、その軸心に沿う方向に所定巾切り落として嵌着口となし、該嵌着口をハウスフレームの軸心に直交する方向から押し当てて広げ、半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き、または通孔もしくは切欠き付き通孔を形成してなるものとしたことを特徴とするビニルハウス用パッカ。
【請求項３】
鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠きを形成してなるものとしたことを特徴とするビニルハウス用パッカ。
【請求項４】
鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する通孔を形成してなるものとしたことを特徴とするビニルハウス用パッカ。
【請求項５】
鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き付き通孔を形成してなるものとしたことを特徴とするビニルハウス用パッカ。
【発明の詳細な説明】
【技術分野】
【０００１】
この発明は、ビニルハウスに関連するあらゆる分野をその技術分野とするものであって、それに用いる部品等を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                        
【背景技術】
【０００２】
（視  点）
我が国は、南北に細長い国土を有し、その地形も内陸や内海、島、山地、平地、盆地、傾斜地等のように複雑である上、周囲を海に囲まれ、各種の海流や、夏季に勢力を強める太平洋高気圧、および冬季にシベリアから張り出す寒気団等の影響を強く受ける等、各地で気象条件が大きく異なるという独特の気候風土を有しており、そうした厳しい自然環境を克服して安定した農業を維持するため、長い期間の努力と経験とを重ねた結果、土地々々に応じた様々な栽培形態が展開、定着してきており、太陽エネルギーを有効利用するようにした簡易施設としてのビニルハウスも、そうした目的で創出された物の一例といえる。
【０００３】
このビニルハウスは、作物を適温に保つと共に、風雨の影響から作物を守り、灌水、施肥管理、病虫害対策等、栽培期間中の作物の育成、管理に有利である上、年間を通じ、同じ作物を栽培する周年栽培を実現することができる等、露地栽培に比較して有利な点が多く、しかも簡易な施設であって経済的な負担も少なくて済み、導入し易いという特徴も手伝って、広い農地を有さず、四季を通じて大きく気候を変化させる自然環境の中で、良質な農作物を安定生産したいとする我が国の農業事情にうまく適合したことから、トンネル栽培用の小型のものをはじめ、花卉類や野菜類栽培用の中形のもの、そしてサクランボ等果樹栽培用の大型のもの等、様々な用途、サイズのものとして全国的に広く普及、利用され、施設型農業の隆盛を見るに至っている。
【０００４】
このように広く普及しているビニルハウス、特に中型、大型に属すビニルハウスの多くは、一般的に複数本のパイプフレームを棟方向に所定間隔を隔てるようにして配置させて丸屋根式、片屋根式、両屋根式、または二重勾配式等のパイプハウスを形成し、その外側表面に塩化ビニル等のプラスチックシートを張設した構造となっているが、この構造において欠かせないハウスシート（ビニルシート）は、単年または数年に渡って使用している中に、風雨や日光および寒暖の差等の過酷な気象条件の下に晒され続け、次第に劣化して透光性が低下し、太陽光の取り込みを充分に行えなくしてしまう外、弾力を失って強風や降雨、雹、積雪等の外力によって容易に破けてしまうという事態を招いてしまうといった不都合があるために、また、桜桃を栽培する農家にあっては、梅雨期が桜桃果実の成熟期に重なることに起因する裂果の発生を防止するために、同時季には高所におけるハウスシートの張着作業が不可欠となるだけではなく、降雪地帯等では、農閑期となる冬期間の雪害や風害等から施設を守らなければならないという切実な問題も付随して、必要に応じてその都度パイプハウスから取り外し、再び張設し直す等といった危険な高所での作業が必ず伴うことになる。
【０００５】
（従来の技術）
このようなハウスフレーム外側に被着されたビニルシートの要所々々を効率的に仮固定するのに最適な部品として、一般にパッカと通称される合成樹脂製のクリップ部品が用いられており、その典型例として、例えば登録実用新案第３０３５２１９号公報「ビニールハウス用フィルムホルダー」に開示された、円筒形の一部を縦方向に切欠して開口部を形成した断面円弧状の薄手の合成樹脂製ホルダー本体の、前記開口部の両方端に、互いに外向きの軟質合成樹脂製支持片を延設し、ホルダー本体の開口部両端角部を支持片と共にアール状にカットしたことにより、ビニールシートを破損させず、且つ皺の発生を防止可能となるようにした片岡考案を挙げることができる。
【０００６】
この片岡考案に代表される従来型のパッカは、ビニルシートをハウスフレームに張設する際には、ワンタッチで嵌合、装着することによってビニルシートを強固に張着することができて非常に重宝するが、しかし、一旦装着してしまったパッカを取り外そうとする場合は今度はそうは簡単には離脱させることができず、特に、非力な高齢者や女性等とって素手で取り外すこと等は到底不可能であり、そうかといってその為に工具類を不用意に使用したりすると今度はビニルシートを破ってしまう虞れがあったり、あるいはハウスフレームに傷を付けて鍍金層を剥がしたりしてパイプハウス自体の寿命を縮めてしまう虞れもある等、効率的な取外し作業をし難くしていた。
【０００７】
そこで、このような弊害を取り除き、取外し作業の安全性と効率アップとを意図したものに、例えば登録実用新案第３０２８０３３号公報の、中空円筒形を縦方向に切欠させて縦開口を形成し、断面円弧状に形成されたパッカ本体を有し、その縦開口の何れか端部側には拡大開口部が設けられ、その拡大開口部の端部には手掛かり部が突設され、ハウスフレームへの嵌合、脱着を容易に行うことができるようにした「ビニルハウス用パッカ」考案等の開発、提案もなされているが、円筒形周壁外面の左右側に突設された手掛かり部は、その寸法を慎重に設定したものとしなければ、場合によって風に煽られたビニルシートがそれに頻繁に接触して破損を招いてしまう虞れがある上、取り外す際に左右側双方の手掛かり部を同時に把持して引き外そうとすると、左右外側からハウスフレームに向けて円筒形周壁面を押圧してしまって不要な摩擦抵抗を生み、かえって取り外しを難しくしてしまうことも懸念されるものであった。                                                                        
【特許文献１】（１）登録実用新案第３０３５２１９号公報    （２）登録実用新案第３０２８０３３号公報
【発明の開示】
【発明が解決しようとする課題】
【０００８】
（問題意識）
以上のようにこれまでに開発されたビニルハウス用のパッカの多くは、装着の際の作業性と、ビニルシートのハウスフレームへの確実な張着性能とを追求したものが殆どであって、取り外しの際の利便性を考慮したものは希であり、離脱操作の機能を高めたものがあっても、必ずしも非力な高齢者や女性が簡便且つ容易に取り外しできるものとはなっておらず、やはりある程度の腕力や熟練を必要とされるものであるというのが実情であった。
【０００９】
（発明の目的）
そこで、この発明は、非力な高齢者や女性等であっても、その非力な範囲内で比較的簡便且つ迅速に脱着することができるようにしたパッカを提供できないものかとの判断から、逸速くその開発、研究に着手し、長期に渡る試行錯誤と幾多の試作、実験とを繰り返してきた結果、今回、遂に新規な構造のビニルハウス用パッカを実現化することに成功したものであり、以下では、図面に示すこの発明を代表する一実施例と共に、その構成を詳述することとする。                                                                                                  
【課題を解決するための手段】
【００１０】
（発明の構成）
図面に示すこの発明を代表する実施例からも明確に理解されるように、この発明のビニルハウス用パッカは、基本的に次のような構成から成り立っている。
即ち、鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き、または通孔もしくは切欠き付き通孔を形成してなる構成を要旨とするビニルハウス用パッカである。
【００１１】
これを換言すると、鋼管等からなるハウスフレームの外径に略匹敵する内径とした所定長さの円筒体またはそれに近似する筒体の周壁を、その軸心に沿う方向に所定巾切り落として嵌着口となし、該嵌着口をハウスフレームの軸心に直交する方向から押し当てて広げ、半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き、または通孔もしくは切欠き付き通孔を形成してなるものとしたビニルハウス用パッカであるということができる。
【００１２】
そして、それら基本的な構成のこの発明のビニルハウス用パッカには、具体的には次のような構成からなるものが含まれている。
その一つが、  鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠きを形成してなるビニルハウス用パッカである。
【００１３】
また、鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する通孔を形成してなる構成のビニルハウス用パッカも同様である。
【００１４】
それに、鋼管等からなるハウスフレームの外径に略匹敵する内径とした所定長さの円筒体またはそれに近似する筒体の周壁を、その軸心に沿う方向に所定巾切り落として嵌着口となし、該嵌着口から半ば強制的にハウスフレーム外周に嵌合、抱着状とするようにしたパッカ本体に形成し、該パッカ本体の少なくとも長さ方向何れか一方端寄りであって、嵌着口に臨む周壁縁の中の一側縁付近に、所定長の離脱用操作紐の基端を結着する一方、該結着箇所に対峙する周壁縁の他側縁付近には、該離脱用操作紐を進退、摺動自在に案内する切欠き付き通孔を形成してなるビニルハウス用パッカも包含される。                                    
【発明の効果】
【００１５】
以上のとおり、この発明のビニルハウス用パッカによれば、何よりも先ず、パッカ本体の長さ方向何れか一方端寄りの、嵌着口に臨む周壁縁の中の一側縁付近に、離脱用操作紐の基端を結着し、同結着箇所に対峙する周壁縁の他側縁付近に、該離脱用操作紐を進退、摺動自在に案内する切欠き、または通孔もしくは切欠き付き通孔を形成したことにより、ハウスフレームにビニルシートを張着する場合には、外側にビニルシートを被着したハウスフレームに、当該ビニルハウス用パッカの嵌着口を押圧し、簡便に抱着させたて強固に、仮固定状とすることが可能なので、迅速且つ容易な作業によって皺や破損を生じさせることなくビニルシートを張着することができ、更に、ビニルシートを取り外すときには、パッカ本体から外部に延伸されている離脱用操作紐を牽引操作することにより、パッカ本体自らがハウスフレームから分離するよう離脱させることができることから、従前までのような強い引き剥がし力が不要となり、非力な高齢者や女性等にも効率的にビニルシートの撤去あるいは交換作業を行うことができるようになるという秀れた特徴が得られるものである。                                                                                      
【発明を実施するための最良の形態】
【００１６】
上記したとおりの構成からなるこの発明の実施に際し、その最良もしくは望ましい形態について説明を加えることにする。
パッカ本体は、ハウスフレーム適所の周面にビニルシートを被着状とするよう外側から嵌合、抱着状とすることにより、ビニルシートをハウスフレームに対して張着した状態に仮固定状とすることを可能とする機能を果たすものであり、ハウスフレームの周面に１８０度を越える角度範囲で抱着可能であり、しかもハウスフレームに対して繰り返し脱着、利用可能なものとし、より具体的には、円筒体またはそれに近似する筒体の周壁を、その軸心に沿う方向に所定巾切り落として嵌着口を形成したものとしなければならず、例えばそれ自体が、ある程度の弾性を有する合成樹脂成型品か、あるいは金属板のプレス成型品からなるものとするのが望ましく、更に、抱着力を強化する一個または複数個のバネ部材を別体あるいは一体に設けたものとすることが可能である。
【００１７】
パッカ本体の周壁内面は、その一部もしくは略全面が、ハウスフレームの周面に接合状となるよう形成すべきであり、ハウスフレーム周面に被着されたビニルシートをできるだけ広い面積で抱着可能とするようにして形成すべきであり、必要に応じて離脱用操作紐が、嵌合状に装着可能な抱着中における操作紐用の収容溝を形成したものとしても差し支えはない。
【００１８】
また、パッカ本体は、その嵌着口に臨む周壁縁の中の一側縁付近に、離脱用操作紐の基端を結着したものとしなければならないが、その結着部分には補強金具を設けたり、あるいはパッカ本体外周面に装着されるか、もしくはインサート成型された抱着力強化用の補助金具の一部に結着したものとすることができる外、基端結着部分から、これに対峙する他側縁付近に掛け渡された離脱用操作紐の基端側付近となる一方側縁に、離脱用操作紐の中途箇所が通過可能な形状、寸法の切欠きかまたは通孔もしくは切欠き付き通孔を形成したものとするか、あるいはそれら何れかに補強口金具を追加したものとすること等が可能である。
【００１９】
パッカ本体の離脱操作紐基端が結着された一側縁付近に対峙する、他側縁付近に設けられた該離脱用操作紐を進退、摺動自在に案内する切欠き、または通孔もしくは切欠き付き通孔にも補強用の口金具や、あるいは、外付けされるかまたはインサート成型された抱着力強化用の補助金具の一部に開口、形成させたものとしてもよい。
【００２０】
切欠きは、離脱用操作紐が周壁縁に強く接触するのを防ぐと同時に進退、摺動自在に案内する機能を果たすものであり、離脱用操作紐の断面形状を収容可能な寸法、形状とするのが望ましく、開口縁部を離脱用操作紐の断面形状よりも大きく開口させて離脱用操作紐の装着と離脱とを容易に行うことができるものとしたり、あるいは同断面形状よりも小さく形成して不用意な離脱を防止するものとすることが可能であり、また、離脱用操作紐と接触する開口縁の切欠き形状やエッジ等に丸みを与えた形状とし、あるいは円柱状や楕円柱状等の肉厚部分を形成して、離脱用操作紐を傷や破損から保護するようにしたものとするのが望ましい。
【００２１】
一方、通孔は、基端側が一側縁付近に結着された離脱用操作紐の中途部分を進退、摺動自在であって不用意に離脱しないよう保持可能とする機能を果たすものであって、離脱用操作紐の断面形状をある程度の遊びをもって通過可能な形状、寸法に設定されたものとしなければならず、前記切欠きと同様に、開口縁やエッジ等に丸みを与えて離脱用操作紐を保護する形状とすべきである。
【００２２】
また、切欠き付き通孔は、切欠きや通孔と同様に、離脱用操作紐の中途部分を進退、摺動自在に保持可能とする機能を果たすものであり、切欠きの開口付近に係止用の鈎を形成したものや、通孔の他側縁付近に切欠き状の溝を開口したものとすることができる外、パッカ本体周壁の他側縁付近に切欠きを形成し、その外側あるいはパッカ本体肉厚中に対応、配置された補強金具、もしくは後述する実施例にも示すような補助金具類に開口された通孔を、重ね合わせて連穿するよう形成したものとすることが可能であり、また、パッカ本体周壁の他側縁付近に通孔を穿孔し、それに対応する補強金具や補助金具に切欠きを連穿したもの、もしくは、パッカ本体周壁の他側縁付近に通孔を穿孔し、これに対応する補強金具や補助金具にも同様の通孔を連穿したもの、あるいは、パッカ本体周壁の他側縁付近に切欠きを穿孔し、これに対応する補強金具や補助金具にも同様の切欠きを連穿したものとすることができる。
【００２３】
離脱用操作紐は、ビニルシート諸共ハウスフレームの周面と、それに抱着するパッカ本体との間に挟み込まれた状態となり、パッカ本体をハウスフレームから取り外す際に、同パッカ本体の周壁縁の中の他側縁付近から外部に露出するよう延伸された先端部分を牽引、操作することにより、パッカ本体の一側縁とこれに対峙する他側縁との間隔をハウスフレームの形状に添って強制的に拡開させてしまうと共に、最終的に一側縁と他側縁との間に一直線状に緊張状となるまでの過程に渡り、ハウスフレームとパッカ本体との間に脱抜力を発生、可能とする機能を果たすものであり、屋外における長期使用および脱着の際の摩擦や牽引力に十分に耐える耐久強度を有するものとしなければならず、丸型断面のものや扁平な断面形状のものとすることができ、外側に延伸された端部にはループ状やハンドル状の操作端を形成したものとするのが望ましい。
以下では、図面に示すこの発明を代表する一実施例と共に、その構造について詳述することとする。                                                                                                    
【実施例】
【００２４】
図１の分解状態にあるビニルハウス用パッカの斜視図、および図２のビニルハウス用パッカの斜視図に示される事例は、ハウスフレームの外径に略匹敵する内径とした所定長さの円筒体の周壁を、その軸心に沿う方向に所定巾切り落として嵌着口２１となし、該嵌着口２１から半ば強制的にハウスフレーム外周に嵌合、抱着状とするようにしたパッカ本体２に形成し、該パッカ本体２の少なくとも長さ方向何れか一方端２３寄りであって、嵌着口２１に臨む周壁縁の中の一側縁２４付近に、所定長の離脱用操作紐４の基端４１を結着する一方、該結着箇所に対峙する周壁縁の他側縁２５付近には、該離脱用操作紐４を進退、摺動自在に案内する通孔３１を形成してなるこの発明に包含されるビニルハウス用パッカにおける代表的な一実施例を示すものである。
【００２５】
当該ビニルハウス用パッカ１は、内径が２２ｍｍまたは４２ｍｍに設定された長さ１５ｃｍ前後の円筒体であって、軸心に沿う方向に、内径２２ｍｍの場合には１５ｍｍ前後、内径４２ｍｍの場合には２０ｍｍ前後の巾に切り落として嵌着口２１を形成した合成樹脂製のパッカ本体２からなり、該嵌着口２１に臨む周壁縁の一側縁２４と、これに対峙する他側縁２５との双方を、後述するハウスフレーム５に抱着、容易に案内可能とするよう、互いに外側に向けて湾曲状に拡開された形状とし、また円筒状に形成された外周壁には、長さ方向の中央付近および一方端２３寄りとなる箇所、ならびに他方端寄りとなる箇所の夫々に、装着用溝２２，２２，２２が形成され、この中の中央付近と他方端寄りとなる箇所には、図１中に示すような、略Ｃ型断面状の短尺円筒形状に形成されて抱着力を補強可能とする金属バネ製の補助金具３，３を夫々嵌着し、残りの一方端２３寄りの装着用溝２２には、離脱用操作紐４を装着した別構造の補助金具３を嵌着したものとなっている。
【００２６】
該補助金具３のパッカ本体２一側縁２４付近に配置される端部には、全長が１５乃至３０ｃｍ程度、巾が１乃至２ｃｍ程度、厚みが２ないし３ｍｍ程度以下に設定された合成樹脂または合成繊維あるいは天然繊維製等の帯状の軟質素材からなる離脱用操作紐４の基端４１が、リベットや鋲等の金具類か縫着構造あるいは接着構造等の適宜結着構造によって強固に一体化されたものとなっており、更にパッカ本体２他側縁２５付近に配置される端部には、該離脱用操作紐４の中途箇所が進退、摺動自在となる寸法、形状に設定された略長方形状に開口する通孔３１が穿孔されており、中途部分が同通孔３１に通過させた離脱用操作紐４の先端側には、作業者が牽引操作の際に容易に手指を掛けることができる大きさのループ状の操作端４２が形成されている。
【００２７】
このように形成された離脱用操作紐４付きの補助金具３は、同図１中に示すように、パッカ本体２の一方端２３寄りの装着用溝２２に嵌合、装着されたものとし、離脱用操作紐４の基端４１付近に対応するパッカ本体２の一側縁２４には、離脱用操作紐４を進退、摺動自在に装着可能な切欠き２６を形成し、離脱用操作紐４と接触する各部を悉く面取りしたものとして離脱用操作紐４の基端４１側付近が、図２中に示すように、切欠き２６に嵌合状となり、更に、嵌着口２１の一側縁２４付近に対峙する同他側縁２５付近には、補助金具３の通孔３１の開口を含む範囲に渡り、同様の切欠き２６を形成して各部を面取りしたものとされ、離脱用操作紐４の先端寄りとなる中途部分が、切欠き２６ならびにこれに連続するよう配置、開口された補助金具３通孔３１に進退、摺動自在に案内されたものとなっている。
【００２８】
（実施例の作用）
以上のとおりの構成からなるこの発明のビニルハウス用パッカ１は、図３のハウスフレームに装着されようとするビニルハウス用パッカの正面図、図４のハウスフレームに装着されたビニルハウス用パッカの正面図、および図５のハウスフレームから離脱するビニルハウス用パッカの正面図に示すように、ハウスフレーム５へのビニルシート６の張着および取外し作業に好適に利用することが可能なものである。
【００２９】
ハウスフレーム５の外側となる周面にビニルシート６を配置させ、図３中に示すように、当該ビニルハウス用パッカ１の嵌着口２１を強く押し当てるよう操作することにより、図４中に示すように、嵌着口２１の一側縁２４と他側縁２５とが互いに拡開状となってハウスフレーム５の外径を乗り越え、嵌合状に組み込まれた状態となり、ワンタッチでビニルシート６を皺のない状態に張設することが可能である。
【００３０】
ビニルシート６をハウスフレーム５の周面に仮固定状に抱着したビニルハウス用パッカ１は、その離脱用操作紐４の基端４１付近から操作端４２に至る中途部分をビニルシート６の外側に沿うよう、ハウスフレーム５の周面に抱着されたものとなっており、ループ状の操作端４２が、同図４中に示すように、外部に露出した状態となる。
【００３１】
このようにビニルシート６を張設した図示しないビニルハウスを、利用して野菜や果樹等を栽培し、その過程におけるビニルシート６の取り外しや、撤去等の際には、図５中に示すように、ビニルハウス用パッカ１の外部に延伸された離脱用操作紐４の操作端４２を牽引操作することにより、パッカ本体２の内周壁面に沿ってビニルシート６諸共、抱着されていた離脱用操作紐４の中途部分が、嵌着口２１側に迫り寄るように緊張状となってハウスフレーム５を嵌着口２１側に押しやるように離脱させるものとなり、図２中に示した、パッカ本体２の一方端２３が、図５中に示すように、ハウスフレーム５から離脱すると、同パッカ本体２の他方端も、離脱用操作紐４の牽引操作に引き摺られて離脱してしまい、ビニルシート６の仮固定が、瞬時にして解かれた状態となる。
【００３２】
（実施例の効果）
以上のような構成からなる実施例のビニルハウス用パッカ１は、前記この発明の効果の項で記載の特徴に加え、パッカ本体２の外周壁の複数適所に、図１および図２中に示すように複数個の補助金具３，３，３を装着したものとなっているので、合成樹脂成型品からなり、十分な柔軟性を確保したパッカ本体２に強い抱着力を与えることができ、装着作業性と確実な抱着を実現することができると共に、何れか一方端側に配置された補助金具３に対して離脱用操作紐４を設け、該補助金具３を介して同離脱用操作紐４をパッカ本体２に装着した構造とすることにより、パッカ本体２に対する離脱用操作紐４の結合強度を格段に向上させることができ、より高い耐久強度を確保することができ、また、離脱用操作紐４の通し孔から延伸された先端側にループ状に形成された操作端４２が、牽引操作の際の確実な手掛かり部分となり、パッカ本体２をハウスフレーム５から離脱させる作業が一段と簡単なものになるという利点を得ることになる。
【００３３】
（結  び）
叙述の如く、この発明のビニルハウス用パッカは、その新規な構成によって所期の目的を遍く達成可能とするものであり、しかも製造も容易で、特に、ハウスフレームに対する仮固定力の強化を重視する余り、取り外しの際には強い腕力を要するか、もしくはビニルシートに傷を付け易いドライバ等の取外し工具類を必要とする等、非力な高齢者や女性等にとって非常に取り外し難かった従来型のパッカに比較し、離脱用操作紐を牽引するというワンタッチ操作だけでパッカ本体を円滑且つ軽快にハウスフレームから取り外すことができ、脱着作業性を格段に向上させ、ビニルハウスの設営作業やビニルシートの開閉、交換、撤去等の作業効率を大幅に高めると共に、労働負担を軽減することができ、しかも工具類を使用しないのでビニルシートに傷が付かず、従前までに比較して遥かに経済的なものとすることができるので、施設型農業を営む農家およびその高齢者や女性等にも高く評価され、広範に渡って利用、普及していくものになると予想される。                                            
【図面の簡単な説明】
【００３４】
図面は、この発明のビニルハウス用パッカの技術的思想を具現化した代表的な一実施例を示すものである。
【図１】分解状態にあるビニルハウス用パッカを示す斜視図である。
【図２】ビニルハウス用パッカを示す斜視図である。
【図３】ビニルハウス用パッカの装着操作を示す正面図である。
【図４】抱着したビニルハウス用パッカを示す正面図である。
【図５】ビニルハウス用パッカの離脱操作を示す正面図である。
【符号の説明】
【００３５】
１      ビニルハウス用パッカ
２      パッカ本体
２１    同  嵌着口
２２    同  装着用溝
２３    同  一方端
２４    同  一側縁
２５    同  他側縁
２６    同  切欠き
３      補助金具
３１    同  通孔
４      離脱用操作紐
４１    同  基端
４１    同  操作端
５      ハウスフレーム
６      ビニルシート
【図１】
2005143439.tif 000003
【図２】
2005143439.tif 000004
【図３】
2005143439.tif 000005
【図４】
2005143439.tif 000006
【図５】
2005143439.tif 000007